(57)【要約】【課題】ゴルフボールの打撃位置がフェース面上で種々変化しても、従来のゴルフクラブヘッドに比べてゴルフボールの平均的な飛距離を向上させるゴルフを提供する。【解決手段】ゴルフクラブヘッド１４は、フェース幅Ｌに対するフェース高さＨの比率（Ｈ／Ｌ）が０．５以上１．２以下であり、ゴルフクラブヘッド１４の重心Ｇを通りゴルフクラブヘッドのフェース面に垂直な直線がフェース面１８と交わる点ｇの高さＨＧの、フェース面１８の高さＨに対する比率（ＨＧ／Ｈ）が０．４５以上０．６５以下である。また、ゴルフクラブヘッド１４の重心Ｇを通りフェース面１８に垂直な直線を軸とする軸周りの慣性モーメントが２０００（ｇ・ｃｍ２  ）以上５０００（ｇ・ｃｍ２  ）以下である。【選択図】図１
2005040232.tif 000002
【特許請求の範囲】
【請求項１】
ゴルフクラブシャフトの一端にゴルフクラブヘッドを備えたゴルフクラブであって、
前記ゴルフクラブヘッドのフェース幅Ｌに対するフェース高さＨの比率（Ｈ／Ｌ）が０．５以上１．２以下であり、前記ゴルフクラブヘッドの重心を通りゴルフクラブヘッドのフェース面に垂直な直線が前記フェース面と交わる交点の高さＨＧの、前記フェース面の高さＨに対する比率（ＨＧ／Ｈ）が０．４５以上０．６５以下であることを特徴とするゴルフクラブ。
【請求項２】
前記ゴルフクラブヘッドの重心を通り前記フェース面に垂直な直線を軸とする軸周りの慣性モーメントが２０００（ｇ・ｃｍ２  ）以上５０００（ｇ・ｃｍ２  ）以下である請求項１に記載のゴルフクラブ。
【発明の詳細な説明】
【０００１】
【発明の属する技術分野】
本発明は、ゴルフクラブシャフトの一端にゴルフクラブヘッドを備えたゴルフクラブ、特に、中空構造のウッド系のゴルフクラブに関する。
【０００２】
【従来の技術】
ゴルフクラブ、特に、ドライバー等のウッド系のゴルフクラブは、打撃したゴルフボールを遠くに飛球させることが望まれている。
例えば、ゴルフクラブヘッドのフェース面にチタン合金を素材として用い、しかも、フェース面の肉厚を薄くし、また、フェース面の縁部を薄肉化して、フェース面を撓み易くすることで、ゴルフボールを打撃した時の反発特性を向上させてゴルフボールの飛距離の向上を図っている。また、打ち易さを備えた、体積が３００ｃｃを越える大きなゴルフクラブヘッドも提案されている。
【０００３】
このようなゴルフクラブヘッドについて、下記特許文献１〜４のような、ゴルフクラブヘッドのフェース面のフェース高さとフェース幅（フェース長さ）との関係を比率で規定したゴルフクラブヘッドが種々提案されている。
特許文献１は、ヘッド容積が２００ｃｃ以上で、フェース面の最大幅に対する最大高さの比率が０．６５以上１．０以下であるウッド系ゴルフクラブヘッドを開示している。
特許文献２は、フェース部の水平方向のフェース幅に対するフェース高さの比が０．６〜１．０である中空ゴルフクラブヘッドを開示している。
特許文献３は、フェース面の最大長さが９５ｍｍ以上で、フェース面の細長比が０．４５〜０．５５の範囲にあるドライバーのゴルフクラブヘッドを開示している。
また、特許文献４は、ゴルフクラブヘッドの体積が３６０ｍｌ以上で、フェース幅に対するフェース高さの比率を０．５以上１．０以下とした中空ゴルフクラブヘッドを開示している。
【０００４】
これらのゴルフクラブヘッドはいずれもゴルフクラブとして組み立てられ、ロフト角度通りに、あるいは、ライ角度通りに設置した場合のフェース面の縦横比を規定することで、耐久性を維持しつつ反発特性を向上させ、あるいは、打ち出されたゴルフボールを上がり易くし、ゴルフボールの飛距離を向上させることができるとされている。
【０００５】
【特許文献１】
特開２０００−１１６８２２号公報
【特許文献２】
特開２００１−９５９５５号公報
【特許文献３】
特開２００１−２５２３７８号公報
【特許文献４】
特開２００１−２８６５８５号公報
【０００６】
【発明が解決しようとする課題】
ところが、上記特許文献１〜４に開示されるゴルフクラブヘッドをゴルフクラブシャフトに装着してゴルフクラブとして作製しても、必ずしも、ゴルフボールの平均飛距離が向上するとはいえず、時には、平均飛距離の向上が殆ど得られない場合もあった。
具体的には、ゴルフクラブヘッドのフェース面の高さが横幅に比べて高くなるようにフェース面の縦横比が設計されるので、ゴルファがゴルフボールを打撃する際の打撃位置がフェース面の高さ方向でばらつく機会が増える。すると、ゴルフボールをスイートスポット付近で打撃した場合ゴルフボールの飛距離は増大するにもかかわらず、実際のゴルフボールの打撃位置がばらつくことによってゴルフボールの平均飛距離が十分に得られなくなるような場合があった。すなわち、ゴルフボールのフェース面での打撃位置が変わると、ゴルフボールの飛距離が極端に低下し、フェース面での打撃位置がばらついたときの飛距離の平均、すなわち平均飛距離でみた場合、平均飛距離が殆ど変化しない場合や、逆に平均飛距離が低下する場合もあった。つまり、従来のゴルフクラブヘッドに比べて上記のようにゴルフクラブヘッドのフェース面の高さが横幅に比べて高くなる形状のゴルフクラブヘッドについては、特に平均飛距離を向上させるための独自の設計（重心設計）が必要となっていた。
【０００７】
そこで、本発明は、ゴルフボールの打撃位置がフェース面上で種々変化しても、従来のゴルフクラブヘッドを備えるゴルフクラブに比べてゴルフボールの平均的な飛距離を向上させるゴルフクラブを提供することを目的とする。
【０００８】
【課題を解決するための手段】
上記目的を達成するために、本発明は、ゴルフクラブシャフトの一端にゴルフクラブヘッドを備えたゴルフクラブであって、前記ゴルフクラブヘッドのフェース幅Ｌに対するフェース高さＨの比率（Ｈ／Ｌ）が０．５以上１．２以下であり、前記ゴルフクラブヘッドの重心を通りゴルフクラブヘッドのフェース面に垂直な直線が前記フェース面と交わる交点の高さＨＧの、前記フェース面の高さＨに対する比率（ＨＧ／Ｈ）が０．４５以上０．６５以下であることを特徴とするゴルフクラブを提供する。
【０００９】
ここで、前記ゴルフクラブヘッドの重心を通り前記フェース面に垂直な直線を軸とする軸周りの慣性モーメントが２０００（ｇ・ｃｍ２  ）以上５０００（ｇ・ｃｍ２  ）以下であるのが好ましい。
なお、比率（ＨＧ／Ｈ）は、０．４８以上０．６２以下であるのが好ましく、より好ましくは０．５１以上０．５９以下である。
【００１０】
【発明の実施の形態】
本発明のゴルフクラブは、ゴルフクラブヘッドのフェース面の縦横比である比率（Ｈ／Ｌ）と、フェース面上における重心の高さを規定する比率（ＨＧ／Ｈ）とを所定の範囲に設定することにより、打撃したゴルフボールの平均飛距離を向上させることができる。
【００１１】
図１は、ゴルフクラブ１０を通常のアドレスポジションに設置した状態のフェース面側から見た正面図である。ゴルフクラブ１０は、ゴルフクラブシャフト１２の一端にゴルフクラブヘッド１４を、他端にグリップ１６を備える。
ここで、ゴルフクラブヘッド１４のフェース面１８のフェース幅Ｌに対するフェース高さＨの比率（Ｈ／Ｌ）が０．５〜１．２の範囲にある。
【００１２】
フェース高さＨは、図１に示すように、基準面Ａ１  に対して通常のアドレスポジションにゴルフクラブ１０を設置した状態においてフェース面１８の最も上方に位置する縁部Ａ２  からフェース面１８の最も下方に位置する縁部Ａ３  までの、基準面Ａ１  に対して垂直方向の成分の距離（図１中の上下方向の距離）をいい、フェース幅Ｌとは、フェース面１８の最もトウ側寄りに位置する縁部Ａ４  からフェース面１８の最もヒール側寄りに位置する縁部Ａ５  までの、基準面Ａ１  およびフェース面１８に対して平行な成分の距離（図１中の左右方向の距離）をいう。このように定義されるフェース高さＨをフェース幅Ｌで除した値である比率（Ｈ／Ｌ）がゴルフクラブヘッド１４において０．５以上である。比率（Ｈ／Ｌ）の実質的な上限は１．２である。実質的な上限とは、ゴルフクラブヘッドのフェース面として作製可能な限界を意味する。なお、比率（Ｈ／Ｌ）は、好ましくは、０．５５〜１．０、より好ましくは、０．５７〜０．８５である。これにより、より十分な反発特性を得ることができる。
【００１３】
また、上記各縁部Ａ２  ，Ａ３  ，Ａ４  ，Ａ５  が判別困難な場合、図２に示すように、ゴルフクラブ１０を通常のアドレスポジションに設置して、基準面Ａ１  からゴルフクラブヘッド１４のクラウン部の最も上方に位置する上端部Ａ６  までの、基準面Ａ１  に垂直方向の距離Ｈ’をフェース高さＨとして代用し、また、ゴルフクラブヘッド１４の最もトウ側に位置する端部Ａ７  から基準面Ａ１  に対して１６ｍｍ上方に位置するゴルフクラブヘッド１４のヒール側の位置Ａ８  までの、基準面Ａ１  およびフェース面１８に対して平行な成分の距離Ｌ’をフェース幅Ｌとして代用して、比率（Ｈ／Ｌ）を求めてもよい。
【００１４】
ここで、ゴルフクラブ１０を通常のアドレスポジションに設置するとは、ゴルフクラブヘッド１４をライ角度通りに設置し、かつ、図３（ａ）に示すゴルフクラブヘッド１４の平面図のように、シャフト軸Ｓとリーディングエッジ１４ａとが互いに平行になるように設置することをいう。ライ角度通りに設置とは、図１において、ソール面１４ｂのラウンドと基準面Ａ１  とのなす隙間がトウ側及びヒール側にて略等しくなる状態に設置することをいう。ソール面１４ｂのラウンドが不明瞭な場合は、フェース面１８に描かれる図示されないスコアラインと基準面Ａ１  とが平行な状態に設置してもよい。ソール面１４ｂのラウンドが不明瞭でかつスコアラインが直線状でない等により基準面Ａ１  との平行が判別できない場合は、ライ角度は、ライ角度（度）＝（１００−クラブ長さ（インチ））にて設定される。例えば、４４インチのクラブ長さであれば、ライ角度は１００−４４＝５６度になる。
【００１５】
ここで、クラブ長さは、社団法人日本ゴルフ用品協会が定める測定法により測定される。測定器としては、株式会社鴨下精衡所製のクラブ・メジャーＩＩが挙げられる。即ち、図１に示すように、ヒール側の端部を基点Ｐ１  とし、グリップエンドを終点Ｐ２  としたとき、これら基点Ｐ１  、終点Ｐ２  間の距離Ｃをクラブ長さとするのである。
アドレスポジションにおいて、リーディングエッジ１４ａの方向はフェース面１８が指す方向と直角な方向に設定される。図３（ａ）はリーディングエッジ１４ａが直線の場合である。また、図３（ｂ）に示すように、曲線のリーディングエッジ１４ａ’の場合、フェース面１８が指す方向と直角な方向を示す線Ｌにて方向が設定される。なお、リーディングエッジ１４ａ’は、ゴルフクラブヘッド１４が最も飛球線方向に張り出している箇所である。
【００１６】
上述のようにフェース面１８の方向を特定し、通常のアドレスポジションを設定した状態で行うゴルフクラブヘッドの寸法測定は、昇峰企業社製の高爾夫球頭測度台、ゴルフギャレーヂ社製のゴルフクラブアングル測定器、ゴルフスミス社製のゴルフクラブゲージ等の測定器により可能である。このような測定器は公知のものであれば良く、本発明において特に限定されるものではない。
【００１７】
このようにして定義される比率（Ｈ／Ｌ）の値を０．５以上に設定し、実質的に上限として１．２に設定することで、ゴルフボールを打撃した時の反発特性が向上してゴルフボールの飛距離が向上する。この場合、後述する実施例にて示されるように、フェース面上における重心の高さを規定する比率（ＨＧ／Ｈ）を所定の範囲に設定することで相乗効果によって平均飛距離が向上する。
【００１８】
なお、ゴルフクラブヘッド１４のロフト角度は２〜１８度であり、また、ヘッド体積は２００ｃｃ以上であるのが好ましい。ロフト角度を２〜１８度とするのは、この範囲にロフト角度のあるゴルフクラブヘッドを備えるゴルフクラブは、ゴルフボールを遠くに飛球させることを目的としたゴルフクラブであり、この範囲にロフト角度がある場合、より効果的に平均飛距離の向上が達成される。
また、ヘッド体積を２００ｃｃ以上とすることによって、ゴルフクラブヘッドの中空部分の体積が大きくなり、より効果的に反発特性を向上させることができる。ヘッド体積の上限については特に制限はないが、ゴルフクラブヘッドがゴルフボールの打撃に対する耐久性をある程度確保する必要性から、ヘッド体積の上限は７００ｃｃ程度である。
【００１９】
図４は、ゴルフクラブ１０を通常のアドレスポジションに設置した状態のフェース面側から見た正面図であり、ゴルフクラブヘッド１４のフェース面１８上における重心の高さを規定する比率（ＨＧ／Ｈ）を説明する図である。
ここで、フェース高さＨは、上述したように定義される。フェース面１８上における重心の高さＨＧとは、通常のアドレスポジションに設置した状態においてゴルフクラブヘッド１４の重心Ｇを通りゴルフクラブヘッド１４のフェース面１８に垂直な直線とフェース面１８とが交わる交点である点ｇからフェース面１８の最も下方に位置する縁部Ａ３  までの、基準面Ａ１  に対して垂直方向の成分の距離（図４中の上下方向の距離）をいう。このように定義されるフェース面１８における重心位置高さＨＧをフェース面１８の高さＨで除した値である比率（ＨＧ／Ｈ）がゴルフクラブヘッド１４において０．４５以上０．６５以下にある。比率（ＨＧ／Ｈ）は、好ましくは、０．４８〜０．６２、より好ましくは、０．５１〜０．５９である。
【００２０】
なお、上記各縁部Ａ２  ，Ａ３  が判別困難な場合、図５に示すように、ゴルフクラブヘッド１４を通常のアドレスポジションに設置して、基準面Ａ１  からゴルフクラブヘッド１４のクラウン部の最も上方に位置する上端部Ａ６  までの基準面Ａ１  に垂直方向の距離Ｈ’をフェース高さＨとして代用し、上述した点ｇから基準面Ａ１  までの距離ＨＧ’を重心位置高さＨＧとして代用して、比率（ＨＧ／Ｈ）を求めてもよい。
【００２１】
ここで、点ｇは、図６に示すような重心測定器４１によって求められる。重心測定器４１は、上部に重心測定対象物を支持する支持部４２を備え、この支持部４２が測定対象物を平衡に支持する測定対象物の位置を知ることができるものである。すなわち、重心の測定方法は、図７（ａ）に示すようにゴルフクラブヘッド１４を、支持部４２に載せ、手を放しても落ちない平衡な位置を探しだす。つまり、図７（ａ）に示すように、フェース面１８と支持部４２の接触部に点ｇを含んでいれば、ゴルフクラブヘッド１４を支持部４２に載せて手を放しても落ちないが、図７（ｂ）に示すように、フェース面１８と支持部４２の接触部に点ｇを含んでいなければ、ゴルフクラブヘッド１４は、支持部４２に載せて手を放すと落ちる。このことを利用して点ｇを求めるものである。
支持部４２は平面または３点以上で支持する形態であることが好ましい。また、支持部４２の面積は、１５ｍｍ２  以下であることが好ましい。また、下限はゴルフクラブヘッドが支えられる限り特に限定されない。支持部４２の面積は、平面であれば平面部分の面積、３点以上で支持する形態であれば各点を結んだ図形の面積によって示される。支持部の面積を上記の範囲に設定することによって、より正確に点ｇを求めることができる。
【００２２】
支持部４２によって支持された平面は水平または概ね水平になることが好ましい。ここで、概ね水平とは、水平面に対する傾きが２度以内、好ましくは１度以内のことである。水平または概ね水平になっているか否かは、例えば図８に示すように、支持部４２に平面板４３を載せて支持させ、平面板４３の上に水準器４４を置き、確認し、調整することができる。上記範囲内に設定することによって、より正確に点ｇを求めることが可能になる。
【００２３】
このようなゴルフクラブヘッド１４の比率（ＨＧ／Ｈ）を０．４５以上０．６５以下に設定することで打ち出されたゴルフボールのバックスピン量を適正にすることができ、さらに、フェース面１８の縦横比である比率（Ｈ／Ｌ）を０．５以上１．２以下に設定して反発特性を向上させる効果と相まって、ゴルフボールをフェース面１８の点ｇから外して打撃した場合も含めた平均飛距離が従来のフェース面の縦横比を規定したゴルフクラブの平均飛距離に比べて向上することができる。
【００２４】
比率（ＨＧ／Ｈ）が０．６５を超えると、比率（Ｈ／Ｌ）が本発明の適正な範囲である０．５以上１．２以下にあっても、打撃されたゴルフボールのバックスピン量がゴルフクラブのフェース面の打撃位置において、効果的に飛距離が得られる好ましいバックスピン量よりも多くなる傾向が出る。その結果、平均飛距離が増大することはない。一方、比率（ＨＧ／Ｈ）が下限値の０．４５未満であると、比率（Ｈ／Ｌ）が本発明の適正な範囲である０．５以上１．２以下にあっても、打撃されたゴルフボールのバックスピン量が各打撃位置において不安定になる傾向が出る。このため、打撃位置によって大きく飛距離が増大する場合もあるが、他の打撃位置では大きく飛距離が減少し、結果として平均飛距離が増大することはない。
この場合、ゴルフクラブヘッド１４の重心Ｇを通りフェース面１８に垂直な直線を軸とする軸周りの慣性モーメントが２０００（ｇ・ｃｍ２  ）以上５０００（ｇ・ｃｍ２  ）以下とすることにより、ゴルフボールをフェース面１８の点ｇから外して打撃しても飛距離がばらつかないといった効果も発揮される。
【００２５】
ここで、ゴルフクラブヘッド１４の重心Ｇを通りフェース面１８に垂直な直線を軸とする軸周りの慣性モーメントは以下のようにして求められる。
図９は、慣性モーメント測定器５１の斜視図である。
慣性モーメント測定器５１は、測定部５２、演算部５４、スタートレバー５５、表示部５６、操作ボタン５７を備え、測定部５２の上に慣性モーメントの測定対象物が載置され、スタートレバー５５を手で摘んで変位させた後、手を放して捩れ振動させ、この時の捩れ振動の周期を測ることによって演算部５４を通して慣性モーメントを測定し、表示部５６に慣性モーメントの数値を表示する装置である。
なお、慣性モーメント測定器５１として、Ｉｎｅｒｔｉａ  Ｄｙｎａｍｉｃｓ社製、慣性モーメント測定器  Ｍｏｄｅｌ  ＭＯＩ−００５−０１４が例示される。このような慣性モーメント測定器は公知のものであればよく、本発明において、特に制限されない。
【００２６】
図１０（ａ）に示すように、慣性モーメント測定器５１に治具６１を固定して慣性モーメントＩａを測定し、次いで図１０（ｂ）に示すように、治具６１の上面部６２にゴルフクラブヘッド１４のフェース面１８を固定して慣性モーメントＩｂを測定し、（Ｉｂ−Ｉａ）よりゴルフクラブヘッドの慣性モーメントを得る。通常の慣性モーメント測定器では、上記Ｉａの数値は、操作ボタン５７を駆使し一連の手順によって自動的に風袋引きをされ、（Ｉｂ−Ｉａ）の数値が表示されるものである。
【００２７】
ゴルフクラブヘッド１４は、図１１（ａ）に示すゴルフクラブヘッド１４の重心Ｇを通るフェース面１８の法線Ｎと、図１１（ｂ）に示す慣性モーメント測定器５１の捩れ振動の回転軸Ｒとが、図１１（ｃ）に示すように一致もしくは概ね一致するように慣性モーメント測定器６１に固定されることが好ましい。概ね一致とは、回転軸Ｒがフェース面１８を通る点と法線Ｎがフェース面１８を通る点ｇとのなす距離が３ｍｍ以内、好ましくは２ｍｍ以内、より好ましくは１ｍｍ以内とすることである。この範囲内にゴルフクラブヘッド１のフェース面１８を固定することによって、より正確に本発明の慣性モーメントを測定することが可能になる。点ｇは、上述したように、図６に示す重心測定器４１によって求められる。
【００２８】
また、上記回転軸Ｒがフェース面１８を通る点と点ｇとの距離を上記範囲内とする必要は必ずしもなく、この距離を知り、自動的に風袋引きをして得られた（Ｉｂ−Ｉａ）の数値からゴルフクラブヘッド１４の質量にこの距離の自乗を掛けた積を減算することによって補正することができる。この補正方法によってゴルフクラブヘッド１４の重心Ｇを通るフェース面１８に垂直な方向の慣性モーメントを得てもよい。このように、ゴルフクラブヘッドの重心Ｇを通るフェース面１８に垂直な方向の慣性モーメントの測定方法については、特に限定されない。
【００２９】
慣性モーメント測定器５１の回転軸Ｒ及びこの回転軸Ｒがフェース面１８を通る点は、慣性モーメント測定器５１により定められるものである。回転軸Ｒは鉛直または概ね鉛直になることが好ましい。ここで、概ね鉛直とは、鉛直方向に対する傾きが２度以内、好ましくは１度以内のことである。回転軸Ｒを鉛直または概ね鉛直に設定するためには、慣性モーメント測定器５１に設けられた水準器部分を目安に測定器の水平を調整すること、又は測定器を水平に調整された平面板上に設置すること等が考えられる。上記範囲内に設定することによって、ゴルフクラブヘッド１４の重心Ｇを通りフェース面１８に垂直な軸回りの慣性モーメントをより正確に測定することができる。
【００３０】
治具６１の上面部６２によって支持された平面は水平または概ね水平になることが好ましい。本発明における概ね水平とは、水平面に対する傾きが２度以内、好ましくは１度以内のことである。水平または概ね水平になっているか否かは、上記した図８に示す支持部４２の例と同様な方法で確認し、調整することができる。上記範囲内に設定することによって、ゴルフクラブヘッド１４の重心Ｇを通りフェース面１８に垂直な軸回りの慣性モーメントをより正確に測定することができる。
【００３１】
また、治具６１は、治具自体の重心位置が回転軸Ｒに一致もしくは概ね一致するように慣性モーメント測定器５１に装着されることが好ましい。概ね一致とは、図１２に示すように治具６１の重心位置をＧ’  とすると、Ｇ’  と回転軸Ｒとのなす距離ｄ’  を２ｍｍ以内、好ましくは１ｍｍ以内とすることである。治具６１の重心位置をＧ’  を上記範囲内に設定することによって、ゴルフクラブヘッド１４の重心Ｇを通りフェース面１８に垂直な軸回りの慣性モーメントをより正確に測定することができる。
【００３２】
なお、ゴルフクラブヘッド１４と治具６１とを固定するためには、両面テープ、粘土等の粘着体による固定、接着剤による固定、磁力を用いた固定等が考えられる。固定は、ゴルフクラブヘッド１４のフェース面１８と、治具６１の上面部６２によって固定されるが、フェース面が凸の曲面であれば、上面部６２は凸の曲面に合致するような凹の曲面であることが好ましく、フェース面が平面であれば、上面部６２は平面であることが好ましい。つまり、固定する両面が合致することが好ましい。ゴルフクラブヘッド１４のフェース面１８は曲面を成しているので、この場合、図１０（ｂ）、図１１（ｃ）に示すように、粘着体１０１をフェース面１８及び上面部６２に合致するように形成し、ゴルフクラブヘッド１４を固定する。言うまでもなく粘着体１０１のように、接着剤等固定手段の内質量を有するものは、治具の一部に含まれ、風袋引きにおいては治具と同様に風袋として引かれる。
【００３３】
このようにして規定されるゴルフクラブヘッド１４の重心Ｇを通りフェース面１８に垂直な直線を軸とする軸周りの慣性モーメントが２０００（ｇ・ｃｍ２  ）以上５０００（ｇ・ｃｍ２  ）以下である。慣性モーメントを２０００（ｇ・ｃｍ２  ）以上とすることにより、ゴルフクラブヘッド１４のスイートエリアをある程度広く確保することが可能になり、ゴルフボールの打撃位置が点ｇからずれても飛距離の低下によるばらつきが小さくなる。この結果、ゴルフボールの飛距離を安定させることができる。
この慣性モーメントの上限は、ゴルフクラブヘッドの材質、製造技術あるいはゴルフボールの大きさから実質的に５０００（ｇ・ｃｍ２  ）に制限される。
【００３４】
このようなゴルフクラブヘッド１４は、図１３（ａ），（ｂ）に示す形状を有するゴルフクラブヘッドによって、比率（Ｈ／Ｌ）および比率（ＨＧ／Ｈ）を上記範囲に調整することができる。
図１３（ａ）は、本発明のゴルフクラブのゴルフクラブヘッドの一形態のトウ側から見た側面図である。図１３（ａ）に示すように、ゴルフクラブヘッド１４のリーディングエッジ１４ａの基準面Ａ１からの高さを従来に比べて高くする。さらに、ゴルフクラブヘッドの重心位置を低くするために、ゴルフクラブヘッド１４のクラウン部の形状をフェース面１８から離れたクラウン部の領域Ｂを凹形状とする。これにより、前記比率（ＨＧ／Ｈ）  を従来のゴルフクラブヘッドに比べて小さくすることが可能になる。
また、図１３（ｂ）は、図１３（ａ）に示すゴルフクラブヘッドをフェース面１８側から見た正面図である。図１３（ｂ）に示すように、下部の質量が比較的大きくなるような形状とすることによって前記比率（ＨＧ／Ｈ）を従来のゴルフクラブヘッドに比べて小さくすることが可能になる。また、フェース幅Ｌに対するフェース高さＨの比率（Ｈ／Ｌ）を本発明の範囲内（０．５以上）になるように、フェース面Ｌに対してフェース高さＨを十分に大きくする。
このように比率（Ｈ／Ｌ）および比率（ＨＧ／Ｈ）を調整することで、以下の実施例からわかるように、ゴルフボールを打撃するフェース面１８の打撃位置が変化してもゴルフボールの平均飛距離を従来に比べて向上させることができる。
【００３５】
【実施例】
以下、本発明のゴルフクラブによる効果について調べた。
ゴルフクラブは、種々作製したゴルフクラブヘッドに同じゴルフクラブシャフトを組み合わせて１４本のゴルフクラブ（実施例１〜９、比較例１〜５）を作製し、スイングロボットを用いてこれらのゴルフクラブの試打を行った。
なお、１４本のゴルフクラブにおけるゴルフクラブヘッドの比率（Ｈ／Ｌ）および比率（ＨＧ／Ｈ）を、図１および図４に示すようにして求めた。また、重心Ｇを通りフェース面に垂直な直線を軸とし、この軸周りの慣性モーメントを図１１（ａ）〜（ｃ）に示す方法によって求めた。
なお、１４本のゴルフクラブのゴルフクラブヘッドのヘッド体積は、実施例１〜３、実施例６，７，９および比較例１〜５は３００ｃｃ、実施例４は３４０ｃｃ、実施例５は３８０ｃｃ、実施例８は２５０ｃｃとし、ロフト角度はいずれも１０°とした。
【００３６】
１４本のゴルフクラブは、ゴルフクラブシャフトにいずれも炭素繊維強化樹脂材料を用いた４４インチのゴルフクラブシャフトを用い、ゴルフクラブヘッドはいずれもチタン合金（６Ａｌ−４Ｖチタン合金）材料を用いた中空ゴルフクラブヘッドで、ロフト角度を１０度とした。ゴルフクラブのスウィングウェイトバランス（１４ｉｎｃｈ計）をＤ１とした。
【００３７】
作製したゴルフクラブによる試打は、株式会社ミヤマエ製ショットロボ４を用い、横浜ゴム株式会社製Ｈ／Ｓボールを１０球ずつ打撃して、飛距離を計測した。ゴルフボール１０球のうち、２球は、図１４に示すように、フェース面の中心位置Ｐ１  （点ｇの位置）で、残り８球は、この中心位置Ｐ１  に対して１０ｍｍフェース面に沿って上下方向に移動した位置Ｐ２  ，Ｐ３  、および中心位置Ｐ１  から左右方向（ヒール側−トウ方向）に１５ｍｍフェース面に沿って移動した位置Ｐ４  ，Ｐ５  、および中心位置Ｐ１  から上下方向に１０ｍｍ移動し、左右方向に１５ｍｍ移動した位置Ｐ６  〜Ｐ９  のそれぞれで１球ずつ打撃し、これら１０球の平均飛距離を求めた。また、同時に１０球の飛距離の標準偏差を求め、飛距離のばらつきとした。
表１に得られた結果を示す。なお、表１には、１０球の飛距離のうち最大の飛距離（最大飛距離）を示している。この最大飛距離は、最も理想的な打撃位置でゴルフボールを打撃したときの飛距離であり、本発明の目的の達成のための対象となる結果ではないが、参考データとして示している。
【００３８】
平均飛距離は、比率（Ｈ／Ｌ）が０．４５であり比率（ＨＧ／Ｈ）が０．７０である比較例１の平均飛距離を基準（１００）として、値が大きい程平均飛距離が大きい指数で表している。また、飛距離のばらつきは、比較例１の飛距離のばらつきを基準（１００）として、値が大きい程ばらつきが小さい指数で表している。同様に、最大飛距離も、比較例１の最大飛距離を基準（１００）として、値が大きい程最大飛距離が大きい指数で表している。
なお、実施例８は、前記比率（Ｈ／Ｌ）が０．５以上であり、前記比率（ＨＧ／Ｈ）が０．６５以下である要件を満たす発明の実施例であるが、前記慣性モーメントが２０００（ｇ・ｃｍ２  ）以上である好ましい発明の態様から外れるものである。また、実施例９は比率（Ｈ／Ｌ）が０．５５であり、本発明における比率（Ｈ／Ｌ）の規定範囲のうち下限近くの実施例として位置付けられる。比較例５は比率（ＨＧ／Ｈ）が０．４０であり、本発明における比率（ＨＧ／Ｈ）の規定範囲の下限値（０．４５）より小さい比較例として位置づけられる。
【００３９】
【表１】
2005040232.tif 000003
【００４０】
表１によると、比率（Ｈ／Ｌ）が０．４５であり、比率（ＨＧ／Ｈ）が０．７０の比較例１に対して、比率（Ｈ／Ｌ）を０．５以上に設定した比較例３、４の平均飛距離は向上するものの（指数１０２、１０３）、その程度は僅かである。すなわち、比率（Ｈ／Ｌ）を０．５以上１．２以下に設定しても比率（ＨＧ／Ｈ）による影響を受けて平均飛距離が大きく向上しない。
比較例２と実施例２の平均飛距離の差異より比率（Ｈ／Ｌ）が０．５以上であることが必要であり、比較例３と実施例３の平均飛距離の差異より比率（ＨＧ／Ｈ）が０．６５以下であることが必要である。さらに、実施例１と比較例５の平均飛距離の差異より比率（ＨＧ／Ｈ）が０．４５以上であることが必要である。比率（ＨＧ／Ｈ）は好ましくは０．４８以上であり、より好ましくは０．５１以上である。
このように実施例１〜９のように、比率（Ｈ／Ｌ）を０．５以上にし、比率（ＨＧ／Ｈ）を０．４５以上０．６５以下にすると、平均飛距離は比較例１に対して大幅に上昇する。
これに伴って最大飛距離も効果的に向上する。特に、重心Ｇを通りフェース面に垂直な直線を軸とした軸周りの慣性モーメントを２０００（ｇ・ｃｍ２  ）以上とすることで、飛距離のばらつきも低下し（指数は上昇し）、ゴルフボールのフェース面での打撃位置にかかわらず安定した飛距離を得ることができる。さらに、比率（Ｈ／Ｌ）を０．５以上１．２以下とし、比率（ＨＧ／Ｈ）を０．４５〜０．５５とし、さらに、慣性モーメントを２０００（ｇ・ｃｍ２  ）以上、さらには、実質的な制限として５０００（ｇ・ｃｍ２  ）以下とすることで、比較例１に対して平均飛距離がより一層向上する顕著な効果が生じる。
【００４１】
本発明は、フェース面の縦横比である比率（Ｈ／Ｌ）を大きくして、フェース面の高さの下限を規定する一方、フェース面上における重心位置の高さの上限を比率（ＨＧ／Ｈ）によって規定することによって、ゴルフボールのフェース面における打撃位置が種々変化しても、平均飛距離は従来に比べて大幅に向上することがわかる。
従来は、ゴルフボールの飛距離の増大を図るために、比率（ＨＧ／Ｈ）を小さく設定して、すなわち低重心化を行なっているが、ゴルフクラブヘッドのフェース面上の打撃位置のずれに起因して必ずしも平均飛距離が増大するものではなかった。実際、比率（Ｈ／Ｌ）が０．５以上１．２以下のゴルフクラブヘッドでは、比較例３から比較例５のように比率（ＨＧ／Ｈ）を小さくして低重心化しても比較例３から実施例１のような平均飛距離の向上は見られない。これに対して、比率（Ｈ／Ｌ）が０．５以上１．２以下のゴルフクラブヘッドにおいて、比率（ＨＧ／Ｈ）を本発明で規定する０．４５以上０．６５以下の範囲に設定することによって、実施例１〜９のようにゴルフボールの平均飛距離の大幅な向上が実現する。
【００４２】
以上、本発明のゴルフクラブヘッドについて詳細に説明したが、本発明は上記実施例に限定はされず、本発明の要旨を逸脱しない範囲において、各種の改良および変更を行ってもよいのはもちろんである。
【００４３】
【発明の効果】
以上、詳細に説明したように、本発明は、ゴルフボールの打撃位置がフェース面上で種々変化しても、従来のゴルフクラブヘッドを備えるゴルフクラブに比べてゴルフボールの平均的な飛距離を向上させることができる。
【図面の簡単な説明】
【図１】本発明のゴルフクラブの一例であるウッド系のゴルフクラブを通常のアドレスポジションに設置した状態のフェース面側から見た正面図である。
【図２】図１に示すゴルフクラブの距離Ｌ’，Ｈ’を説明する図である。
【図３】（ａ）および（ｂ）は、ゴルフクラブヘッドを主要部として表したゴルフクラブの平面図である。
【図４】本発明のゴルフクラブの一例であるウッド系のゴルフクラブにおける重心位置高さＨＧおよびフェース高さＨを説明する図である。
【図５】図１に示すゴルフクラブの距離ＨＧ’  ，Ｈ’を説明する図である。
【図６】ゴルフクラブヘッドのフェース面における重心位置を求める重心位置測定器の一例を示す図である。
【図７】（ａ）および（ｂ）は、重心位置を求める方法を説明する図である。
【図８】図６に示す重心位置測定器における好ましい設置状態を説明する図である。
【図９】ゴルフクラブヘッドの慣性モーメントを測定する慣性モーメント測定器の一例を示す概略斜視図である。
【図１０】（ａ）および（ｂ）は図９に示す慣性モーメント測定器の治具、治具およびゴルフクラブヘッドを固定した状態を示す図である。
【図１１】（ａ）〜（ｃ）は、ゴルフクラブヘッドの慣性モーメントを測定する方法を説明する図である。
【図１２】図９に示す慣性モーメント測定器に用いる治具の設置状態を説明する図である。
【図１３】（ａ），（ｂ）は、本発明のゴルフクラブのゴルフクラブヘッドの一形態を説明する側面図、正面図である。
【図１４】実施例においてゴルフボールを打撃したときのゴルフクラブヘッドのフェース面の打撃位置を示す図である。
【符号の説明】
１０  ゴルフクラブ
１２  ゴルフクラブシャフト
１４  ゴルフクラブヘッド
１４ａ  リーディングエッジ
１４ｂ  ソール面
１６  グリップ
１８  フェース面
４１  重心測定器
４２  支持部
４３  平面板
４４  水準器
５１  慣性モーメント測定器
５２  測定部
５４  演算部
５５  スタートレバー
５６  表示部
５７  操作ボタン
６１  治具
６２  上面部
【図１】
2005040232.tif 000004
【図２】
2005040232.tif 000005
【図３】
2005040232.tif 000006
【図４】
2005040232.tif 000007
【図５】
2005040232.tif 000008
【図６】
2005040232.tif 000009
【図７】
2005040232.tif 000010
【図８】
2005040232.tif 000011
【図９】
2005040232.tif 000012
【図１０】
2005040232.tif 000013
【図１１】
2005040232.tif 000014
【図１２】
2005040232.tif 000015
【図１３】
2005040232.tif 000016
【図１４】
2005040232.tif 000017